(57)【要約】【課題】近年のニーズに対応し、メッセージ内容を手軽にかつ確実に相手方だけに伝達することができる通信機能付き付箋及びこれを製造する付箋製造装置を提供する。【解決手段】情報を記憶するＩＣ回路部１５０とこのＩＣ回路部１５０に接続されるアンテナ１５１とを備えた無線タグ回路素子Ｔoを配置した基材２と、基材２の厚さ方向一方側に配置された表示層３と、基材２の厚さ方向他方側に配置され、無線タグ回路素子Ｔoを貼り付け対象に対し再剥離可能に貼り付けるための弱粘着材層４とを有する。【選択図】  図１
2006231610.tif 000002
【特許請求の範囲】
【請求項１】
情報を記憶するＩＣ回路部とこのＩＣ回路部に接続されるアンテナとを備えた無線タグ回路素子を配置したタグ基材と、
前記タグ基材の厚さ方向一方側に配置された表記媒体と、
前記タグ基材の厚さ方向他方側に配置され、前記無線タグ回路素子を貼り付け対象に対し再剥離可能に貼り付けるための弱粘着材層とを有することを特徴とする通信機能付き付箋。
【請求項２】
請求項１記載の通信機能付き付箋において、
前記弱粘着材層は、付箋の面方向端部又はその近傍に設けられていることを特徴とする通信機能付き付箋。
【請求項３】
請求項１又は２記載の通信機能付き付箋において、
前記無線タグ回路素子の前記アンテナは、前記タグ基材のうち平面視において前記弱粘着材層と重ならない領域に配置されていることを特徴とする通信機能付き付箋。
【請求項４】
請求項１又は２記載の通信機能付き付箋において、
前記無線タグ回路素子の前記アンテナは、前記タグ基材のうち平面視において前記弱粘着材層と重なる領域に配置されていることを特徴とする通信機能付き付箋。
【請求項５】
請求項１乃至４のいずれか１項記載の通信機能付き付箋において、
前記無線タグ回路素子は、前記タグ基材の面方向中心部より一方側に偏って配置されていることを特徴とする通信機能付き付箋。
【請求項６】
請求項１乃至５のいずれか１項記載の通信機能付き付箋において、
前記表記媒体と前記タグ基材との間に設けた強粘着材層と、
少なくとも前記弱粘着材層の貼り付け側を覆う剥離材層とを有することを特徴とする通信機能付き付箋。
【請求項７】
請求項１乃至６のいずれか１項記載の通信機能付き付箋において、
前記無線タグ回路素子の前記ＩＣ回路部は、質問器から発信され前記アンテナで受信された前記ＩＣ回路部へのアクセス情報に含まれる当該無線タグ回路素子の識別情報に応じて、対応する所定の返答を行うか所定の返答を行わないかを切替制御する制御手段を備えることを特徴とする通信機能付き付箋。
【請求項８】
請求項７記載の通信機能付き付箋において、
前記無線タグ回路素子の前記ＩＣ回路部は、読み取り許可情報を記憶保持しており、
前記制御手段は、前記アクセス情報に含まれる読み取り許可照合情報と前記ＩＣ回路部に記憶した前記読み取り許可情報との照合判定を行う判定手段を備え、この判定手段の判定結果に基づき前記所定の返答を行うか所定の返答を行わないかを切り換え制御することを特徴とする通信機能付き付箋。
【請求項９】
請求項８記載の通信機能付き付箋において、
前記無線タグ回路素子の前記ＩＣ回路部は、前記読み取り許可情報としての有効期限情報を記憶していることを特徴とする通信機能付き付箋。
【請求項１０】
請求項１乃至９のいずれか１項記載の通信機能付き付箋において、
前記無線タグ回路素子の前記ＩＣ回路部は、当該無線タグ回路素子の識別情報と、書き込み操作者から読み取り操作者へのメッセージ情報とを記憶していることを特徴とする通信機能付き付箋。
【請求項１１】
請求項１乃至１０のいずれか１項記載の通信機能付き付箋において、
前記表記媒体は、所定の文字又は図像が印刷されていることを特徴とする通信機能付き付箋。
【請求項１２】
請求項１乃至１１のいずれか１項記載の通信機能付き付箋において、
前記表記媒体は、使用者が手書き筆記可能な筆記領域を備えることを特徴とする通信機能付き付箋。
【請求項１３】
テープ状又はシート状の表記媒体を供給する表記媒体供給手段と、
情報を記憶するＩＣ回路部とこのＩＣ回路部に接続されるアンテナとを備えた無線タグ回路素子を配置したタグ基材と、前記タグ基材の厚さ方向一方側に配置され、前記タグ基材を前記表記媒体に貼り付けるための強粘着材層と、前記タグ基材の厚さ方向他方側に配置され、前記無線タグ回路素子を貼り付け対象に対し再剥離可能に貼り付けるための弱粘着材層と、この弱粘着材層の貼り付け側を覆う剥離材層と有するタグ搭載片を、前記表記媒体供給手段から供給される前記表記媒体へ断続的に供給するタグ搭載片供給手段と、
このタグ搭載片供給手段で供給された前記タグ搭載片が貼り付けられた前記表記媒体を所定の長さに切断する切断手段とを有することを特徴とする付箋製造装置。
【請求項１４】
請求項１３記載の付箋製造装置において、
前記表記媒体供給手段から供給された前記表記媒体の所定領域に所定の印字を行う印字手段を有することを特徴とする付箋製造装置。
【請求項１５】
請求項１３又は１４記載の付箋製造装置において、
前記無線タグ回路素子との間で無線通信により情報の送受信を行う装置側アンテナと、
前記無線タグ回路素子のＩＣ回路部への読み取り許可情報を含むアクセス情報を生成し、前記装置側アンテナを介して前記無線タグ回路素子へ送信し、前記無線タグ回路素子のＩＣ回路部へ情報書き込みを行う情報アクセス手段とを有することを特徴とする付箋製造装置。
【発明の詳細な説明】
【技術分野】
【０００１】
本発明は、メッセージを相手方に伝達するための通信機能付き付箋及びこれを製造する付箋製造装置に関するものである。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。無線タグは、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、物品管理や検査工程等の様々な分野において実用が期待されている。
【０００３】
例えばこの無線タグはラベル状に形成され、例えばラベルの裏面に備えられた粘着剤によって貼り付け対象物品に貼り付けられる。このとき、ＩＣ回路部に記憶された情報のセキュリティー上の観点から、従来、一旦貼り付け対象に貼り付けた後の無線タグラベルを引き剥がそうとした場合には無線タグ回路素子の一部が自己破壊するようにしたものが既に提唱されている（例えば、特許文献１参照）。
【０００４】
【特許文献１】特開２０００−１０５８０６号公報（段落番号００２７〜００２８、図３）
【発明の開示】
【発明が解決しようとする課題】
【０００５】
ところで、上記のように物品に貼り付けるラベル状の手軽なメッセージ伝達手段として、オフィス等においてはよく長方形又は短冊状等の付箋が用いられる。この付箋の表側に使用者が適宜の手書きによる筆記を行った後、相手方の目の届くところ（例えばデスク等）に貼り付けることにより、メッセージを上記使用者から相手方に伝達することができる。この際、一旦貼り付けた後も引き剥がして別の場所に付け替えたり、相手方がさらに別の者への伝達に流用する等、手軽な利用が可能である。
【０００６】
ところが、付箋でただ貼り付けるだけではメッセージ内容は当該相手方以外でも容易に見ることができるので、例えばメッセージの内容を当該相手方だけに伝達し第三者には知られたくないような場合には、この付箋を用いた伝達は不適当である。一方、メールによる送信を行う場合には上記のような第三者による盗み見の可能性は大幅に低減できるが、メールをいつ見るかは当該相手方次第であるため、場合によっては相手方がメールが届いていること自体になかなか気がつかず即応性に欠ける可能性がある。結果として、メッセージ内容を相手方に確実に伝達できるとは必ずしも言えなかった。
【０００７】
一方、上記従来技術は、ＩＣ回路部内の情報のセキュリティーを確保することを目的として、無線タグラベルを一旦貼り付けた後の再剥離時に必ず無線タグ回路素子を破壊するようになっており、手軽に貼り付けまた再剥離して用いる上記付箋のような利用法にはなじまないものであった。
【０００８】
本発明の目的は、メッセージ内容を手軽にかつ確実に相手方だけに伝達することができる通信機能付き付箋及びこれを製造する付箋製造装置を提供することにある。
【課題を解決するための手段】
【０００９】
上記目的を達成するために、第１の発明は、情報を記憶するＩＣ回路部とこのＩＣ回路部に接続されるアンテナとを備えた無線タグ回路素子を配置したタグ基材と、前記タグ基材の厚さ方向一方側に配置された表記媒体と、前記タグ基材の厚さ方向他方側に配置され、前記無線タグ回路素子を貼り付け対象に対し再剥離可能に貼り付けるための弱粘着材層とを有することを特徴とする。
【００１０】
本願第１発明においては、タグ基材の厚さ方向一方側を印字又は手書き筆記可能な表記媒体としつつ、厚さ方向他方側を弱粘着材層で貼り付け対象に再剥離可能にして、所定箇所に手軽に貼り付け可能な付箋を構成する。そしてさらに、タグ基材に無線タグ回路素子を配置することで、無線通信を介して付箋外部よりＩＣ回路部へ情報の書き込みを可能とする。これにより、メッセージ部分を無線タグ回路素子のＩＣ回路部に書き込んで第三者に見られないようにしつつ、手軽に貼り付ける付箋形式とすることで、メッセージがあること自体を相手に視認させることができる。この結果、メッセージ内容を相手方だけにしかも確実に伝達することができる。
【００１１】
第２の発明は、上記第１発明において、前記弱粘着材層は、付箋の面方向端部又はその近傍に設けられていることを特徴とする。
【００１２】
これにより、面方向端部又はその近傍を貼り付け対象に貼り付けるとともに、剥がすときにはそれ以外の粘着材のない部分を手で把持することで容易に剥がすことができる。
【００１３】
第３の発明は、上記第１又は第２発明において、前記無線タグ回路素子の前記アンテナは、前記タグ基材のうち平面視において前記弱粘着材層と重ならない領域に配置されていることを特徴とする。
【００１４】
これにより、アンテナは貼り付け対象に直接接触するあるいは近接することがなくなるので、貼り付け対象が金属の場合であってもこれに阻害されることなく確実に無線通信を行える。特に、アンテナの多くの部分を上記弱粘着材層と重なる部分から遠ざけて配置するようにすれば、さらに通信の安定性を向上できる。
【００１５】
第４の発明は、上記第１又は第２発明において、前記無線タグ回路素子の前記アンテナは、前記タグ基材のうち平面視において前記弱粘着材層と重なる領域に配置されていることを特徴とする。
【００１６】
これにより、使用者の指によってアンテナが触られたりあるいは貼り付け・引き剥がし時に折り曲げられたりして、アンテナやＩＣ回路部に断線・損傷等が発生したりそれらの接合部が外れたりして耐久性が低下するのを確実に防止できる。
【００１７】
第５の発明は、上記第１乃至第４発明のいずれか１つにおいて、前記無線タグ回路素子は、前記タグ基材の面方向中心部より一方側に偏って配置されていることを特徴とする。
【００１８】
無線タグ回路素子を中心より一方側に寄せて配置することにより、付箋作成時において表記媒体に印字手段により印字を行う場合、あるいは作成された付箋の表記媒体に使用者が適宜の手書き筆記を行う場合に、当該印字又は筆記の邪魔にならないようにして印字又は筆記のかすれや乱れを防止するともに、その印字・筆記時に作用する力で無線タグ回路素子の耐久性に悪影響が及ぶのを防止できる。
【００１９】
第６の発明は、上記第１乃至第５発明のいずれか１つにおいて、前記表記媒体と前記タグ基材との間に設けた強粘着材層と、少なくとも前記弱粘着材層の貼り付け側を覆う剥離材層とを有することを特徴とする。
【００２０】
これにより、表記媒体と無線タグ回路素子を備えたタグ基材とを強固に接着し、また使用前の状態において弱粘着材層を剥離材層で保護することができる。
【００２１】
第７の発明は、上記第１乃至第６発明のいずれか１つにおいて、前記無線タグ回路素子の前記ＩＣ回路部は、質問器から発信され前記アンテナで受信された前記ＩＣ回路部へのアクセス情報に含まれる当該無線タグ回路素子の識別情報に応じて、対応する所定の返答を行うか所定の返答を行わないかを切替制御する制御手段を備えることを特徴とする。
【００２２】
これにより、メッセージを伝達したい相手方がパスワードやＩＤ等の所定の識別情報を無線タグ回路素子へ送信したときのみ所定の返答を行いメッセージ内容を伝達するようにすることができるので、セキュリティーを向上することができる。
【００２３】
第８の発明は、上記第７発明において、前記無線タグ回路素子の前記ＩＣ回路部は、読み取り許可情報を記憶保持しており、前記制御手段は、前記アクセス情報に含まれる読み取り許可照合情報と前記ＩＣ回路部に記憶した前記読み取り許可情報との照合判定を行う判定手段を備え、この判定手段の判定結果に基づき前記所定の返答を行うか所定の返答を行わないかを切り換え制御することを特徴とする。
【００２４】
ＩＣ回路部に読み取り許可情報を記録できることにより、相手やメッセージ内容に応じて必要なセキュリティを自由に設定することができる。
【００２５】
第９の発明は、上記第８発明において、前記無線タグ回路素子の前記ＩＣ回路部は、前記読み取り許可情報としての有効期限情報を記憶していることを特徴とする。
【００２６】
これにより、例えば有効期限を過ぎているかどうかに応じて、質問器から送信されたアクセス情報に対応した所定の返答を行うか所定の返答を行わないかを制御することが可能となり、セキュリティーを向上することができる。
【００２７】
第１０の発明は、上記第１乃至第９発明のいずれか１つにおいて、前記無線タグ回路素子の前記ＩＣ回路部は、当該無線タグ回路素子の識別情報と、書き込み操作者から読み取り操作者へのメッセージ情報とを記憶していることを特徴とする。
【００２８】
これにより、ＩＣ回路部に記憶された識別情報に基づき当該無線タグ回路素子を特定してリーダ側よりアクセスを行い、ＩＣ回路部に記憶したメッセージ情報を取得することができる。また、複数の付箋があっても目的の付箋に備えられた無線タグ回路素子が分かっていればその目的の付箋とだけ通信することができる。
【００２９】
第１１の発明は、上記第１乃至第１０発明のいずれか１つにおいて、前記表記媒体は、所定の文字又は図像が印刷されていることを特徴とする。
【００３０】
これにより、当該印刷された文字又は図像を用いて例えば予めメッセージの種類や大まかな概要等を相手方に伝えることができる。
【００３１】
第１２の発明は、上記第１乃至第１１発明のいずれか１つにおいて、前記表記媒体は、使用者が手書き筆記可能な筆記領域を備えることを特徴とする。これにより、筆記領域へ手書き筆記を行って例えば予めメッセージの種類や大まかな概要等を相手方に伝えることができる。
【００３２】
上記目的を達成するために、第１３の発明は、テープ状又はシート状の表記媒体を供給する表記媒体供給手段と、情報を記憶するＩＣ回路部とこのＩＣ回路部に接続されるアンテナとを備えた無線タグ回路素子を配置したタグ基材と、前記タグ基材の厚さ方向一方側に配置され、前記タグ基材を前記表記媒体に貼り付けるための強粘着材層と、前記タグ基材の厚さ方向他方側に配置され、前記無線タグ回路素子を貼り付け対象に対し再剥離可能に貼り付けるための弱粘着材層と、この弱粘着材層の貼り付け側を覆う剥離材層と有するタグ搭載片を、前記表記媒体供給手段から供給される前記表記媒体へ断続的に供給するタグ搭載片供給手段と、このタグ搭載片供給手段で供給された前記タグ搭載片が貼り付けられた前記表記媒体を所定の長さに切断する切断手段とを有することを特徴とする。
【００３３】
本願第１３発明においては、表記媒体供給手段で供給したテープ状又はシート状の表記媒体に対し、強粘着材層、無線タグ回路素子を備えたタグ基材、弱粘着材層、剥離材層の順に積層したタグ搭載片をタグ搭載片供給手段で断続的に供給して貼り付けた後、タグ搭載片が貼り付けられた表記媒体を切断手段で所定の長さに切断する。これにより、タグ基材の厚さ方向一方側を印字又は手書き筆記可能な表記媒体としつつ、剥離材を剥がすだけで厚さ方向他方側を弱粘着材層を介し貼り付け対象に手軽に貼り付け可能しかも再剥離可能な通信機能付き付箋を構成することができる。このとき、タグ基材に無線タグ回路素子を配置することで、無線通信を介して付箋外部よりＩＣ回路部へ情報の書き込みを可能できるので、メッセージ部分を無線タグ回路素子のＩＣ回路部に書き込んで第三者に見られないようにしつつ、手軽に貼り付ける付箋形式とすることで、メッセージがあること自体を相手に視認させることができる。この結果、メッセージ内容を相手方だけにしかも確実に伝達することができる。
【００３４】
第１４の発明は、上記第１３発明において、前記表記媒体供給手段から供給された前記表記媒体の所定領域に所定の印字を行う印字手段を有することを特徴とする。
【００３５】
これにより、例えば印字手段で印字された例えば文字又は図像を用いて、予めメッセージの種類や大まかな概要等を相手方に伝えることが可能となる。
【００３６】
第１５の発明は、上記第１３又は第１４発明において、前記無線タグ回路素子との間で無線通信により情報の送受信を行う装置側アンテナと、前記無線タグ回路素子のＩＣ回路部への読み取り許可情報を含むアクセス情報を生成し、前記装置側アンテナを介して前記無線タグ回路素子へ送信し、前記無線タグ回路素子のＩＣ回路部へ情報書き込みを行う情報アクセス手段とを有することを特徴とする。情報アクセス手段でアクセス情報を生成し、装置側アンテナを介して送信して無線タグ回路素子のＩＣ回路部へ情報書き込みを行うことで、相手方へのメッセージ部分を第三者に見られないように確実に伝達することができる。
【発明の効果】
【００３７】
本発明によれば、メッセージ内容を手軽にかつ確実に相手方だけに伝達することができる。
【発明を実施するための最良の形態】
【００３８】
以下、本発明の一実施の形態を図面を参照しつつ説明する。
【００３９】
図１（ａ）は、本実施形態の通信機能付き付箋の全体概略構造を表す上面図であり、図１（ｂ）は図１（ａ）中Ｉ−Ｉ断面による縦断面図である。
【００４０】
図１（ａ）及び図１（ｂ）において、この付箋１は、情報を記憶するＩＣ回路部１５０とこのＩＣ回路部１５０に接続されるアンテナ１５１とを備えた無線タグ回路素子Ｔoを配置した基材２（タグ基材）と、このタグ基材の表側（厚さ方向一方側、図１（ａ）中上側）に配置された表示層３（表記媒体）と、基材２の裏側（厚さ方向他方側、図１（ａ）中下側）に配置され、無線タグ回路素子Ｔoを貼り付け対象に対し再剥離可能に貼り付けるための弱粘着材層４（再剥離可能粘着材層）と、表示層３と基材２との間に設けた強粘着材層５と、少なくとも弱粘着材層４の貼り付け側（この例では弱粘着材層４の貼り付け側と基材２のうち弱粘着材層４に覆われず露出した部分の貼り付け側）を覆う剥離紙６（剥離材層）とを有している。
【００４１】
表示層３は、使用者が手書き筆記可能な領域Ｓ（筆記領域）を備えている。この例では、メッセージを受け取る者（以下適宜、「メッセージ受取者」という）に対しメッセージを送りたい者（以下適宜、「メッセージ送出者」という）が「電話してください」というメッセージをこの領域Ｓに所定の筆記具で手書きした例を示している。なお、このようにその都度メッセージ送出者が筆記具で手書きするのではなく、領域Ｓに予め所定の文字又は図像が印刷された複数種類の付箋１を用意しておき、メッセージ送出者がその中から合致したものをその都度選択して使用し、当該印刷された文字又は図像を用いて例えば予めメッセージの種類や大まかな概要等を相手方に伝えるようにしてもよい。
【００４２】
無線タグ回路素子Ｔoは、基材２の面方向中心部（この例では図１（ａ）の上下方向中心部）より一方側（この例では図１（ａ）中下方側）に偏って配置されている。言い換えれば、領域Ｓと無線タグ回路素子Ｔoとが平面視において全く重ならないか、若しくはほとんど重ならないように、配置されている。
【００４３】
弱粘着材層４は、付箋１の面方向端部（この例では付箋１の長手方向端部。あるいはその近傍でもよい）に設けられている。
【００４４】
図２は、上記付箋１に備えられた上記無線タグ回路素子Ｔoの機能的構成の一例を表すブロック図である。
【００４５】
図２において、無線タグ回路素子Ｔoは、後述するスキャナ２００側のアンテナ２１０と短波帯(例えば13.56MHz)、ＵＨＦ帯、マイクロ波帯等の高周波を用いて非接触で信号の送受信を行うアンテナ１５１(タグ側アンテナ)と、このアンテナ１５１に接続されたＩＣ回路部１５０とを有している。
【００４６】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００４７】
変復調部１５６は、アンテナ１５１により受信された上記スキャナ２００（質問器）の送信アンテナ２１０からの通信信号の復調を行うと共に、上記制御部１５７からの返信信号に基づき、送信アンテナ２１０より受信された搬送波を変調反射する。
【００４８】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００４９】
上記構成の付箋１は、メッセージ送出者が前述したように所定の文字等を領域Ｓに筆記しかつ適宜の無線タグ情報書き込み装置によって無線タグ回路素子ＴoのＩＣ回路部１５０に第三者に見られたくないメッセージ内容を書き込み、メッセージ受取者の目の届くところ（例えば当該メッセージ受取者のデスクやパソコン等）に貼り付ける。これを受け取ったメッセージ受取者は、上記ＩＣ回路部１５０のメッセージ受取者内容を確認するために、一旦貼り付けられた付箋１を剥がし、例えば自己のパソコンに接続された適宜の読み取り装置（スキャナ）に付箋１をかざしてＩＣ回路部１５０の情報読み取りを行う。
【００５０】
図３は、上記パソコン１００、スキャナ２００、付箋１を含む無線タグ情報通信システム全体を表すシステム構成図である。
【００５１】
図３に示す無線タグ情報通信システムは、上記付箋１に備えられた無線タグ回路素子Ｔoの情報にアクセスする（この例では読み取りを行う）上記スキャナ２００と、このスキャナ２００と接続された上記パソコン１００とから構成されている。
【００５２】
スキャナ２００は、無線タグ回路素子Ｔoの上記アンテナ１５１との間で無線通信により信号の授受を行うアンテナ（装置側アンテナ）２１０と、このアンテナ２１０を介し上記無線タグ回路素子ＴoのＩＣ回路部１５０へアクセスする（この例では読み取りを行う）とともに、無線タグ回路素子Ｔoから読み出された信号を処理する高周波回路２０１と、高周波回路２０１を介し無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、スキャナ２００全体の動作を制御する制御回路２０２とを有する。
【００５３】
パソコン１００は、ディスプレイ等からなる表示部１００Ａと、キーボード、マウス等からなる操作部１００Ｂと、図示しないＣＰＵ、ＲＡＭ、ＲＯＭ等を備えた本体部１００Ｃ等から構成されている。ＣＰＵは、操作部１００Ｂからの操作信号を入力してこれに所定の演算処理を行い、表示部１００Ａへの表示制御信号等を出力する。
【００５４】
図４は、上記高周波回路２０１の詳細機能構成を表す機能ブロック図である。
【００５５】
図４において、高周波回路２０１は、アンテナ２１０を介し無線タグ回路素子Ｔoに対して信号を送信する送信部２１２と、アンテナ２１０により受信された無線タグ回路素子Ｔoからの反射波を入力する受信部２１３と、送受分離器２１４とから構成される。
【００５６】
送信部２１２は、無線タグ回路素子ＴoのＩＣ回路部１５０の無線タグ情報にアクセスする(読み取り／書き込みを行う)ための搬送波を発生させる搬送波発生部として機能する発振回路２１５と、上記制御回路２０２から供給される信号に基づいて上記搬送波発生部により発生させられた搬送波を変調（この例では制御回路２０２からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例では制御回路２０２からの「ＴＸ＿ＰＷＲ」信号によって増幅率を決定される増幅）する可変送信アンプ２１７とを備えている。そして、上記搬送波発生部により発生される搬送波は、好適にはＵＨＦ帯の周波数を用いており、上記送信アンプ２１７の出力は、送受分離器２１４を介し送信アンテナ２１０に伝達されて無線タグ回路素子ＴoのＩＣ回路部１５０に供給される。なお、無線タグ情報は上記のように変調した信号に限られず、単なる搬送波のみの場合もある。
【００５７】
受信部２１３は、アンテナ２１０で受信された無線タグ回路素子Ｔoからの反射波と上記発生させられた搬送波とを掛け合わせる受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ２１０で受信された無線タグ回路素子Ｔoからの反射波と上記発生された後に移相器２２７により位相が９０°遅れた搬送波とを掛け合わせる受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記制御回路２０２に入力されて処理される。
【００５８】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」が制御回路２０２に入力されるようになっている。このようにして、スキャナ２００では、Ｉ−Ｑ直交復調によって無線タグ回路素子Ｔoからの反射波の復調が行われる。
【００５９】
制御回路２０２は、上記高周波回路送信部２１２への増幅制御信号及び変調制御信号を出力するとともに、上記高周波回路受信部２１３からの受信信号を入力した後無線タグ回路素子Ｔoから読み出された信号を処理するための所定の演算処理を行う。
【００６０】
図５は、この制御回路２０２の詳細機能を表す機能ブロック図である。
【００６１】
図５において、制御回路２０２は、いわゆるマイクロコンピュータであり、中央演算処理装置であるＣＰＵ２０２Ａ、ＲＯＭ２０２Ｂ、ＲＡＭ２０２Ｃ、高周波回路２０１との信号送受を行う回路制御部２０２Ｄ、パソコン１００の本体１００Ｃとの信号送受を行う通信制御部２０２Ｅ等から構成され、ＲＡＭ２０２Ｃの一時記憶機能を利用しつつＲＯＭ２０２Ｂに予め記憶されたプログラムに従って信号処理を行うようになっている。なおこの制御回路２０２は、図示しない通信回線に接続された他の端末、コンピュータ、及びサーバ等との間で情報のやりとりを可能としてもよい（あるいはパソコン１００を介してそのような情報のやりとりが可能に構成しても良い）。
【００６２】
上述したように、メッセージ受取者は、上記構成のスキャナ２００に付箋１をかざして上記付箋１の無線タグ回路素子Ｔoに備えられたＩＣ回路部１５０の情報を読み取る。すなわち、無線タグ回路素子ＴoのＩＣ回路部１５０は、無線タグ回路素子Ｔoの識別情報（タグＩＤ）と、メッセージ送出者（書き込み操作者）からメッセージ受取者（読み取り操作者）へのメッセージ情報とを記憶しており、スキャナ２００で上記タグＩＤを指定して（あるいは通信範囲に他の無線タグ回路素子Ｔoが存在しない場合は指定しなくてもよい）無線タグ回路素子Ｔoへ問いかけ信号を送信し、その応答信号より上記メッセージ情報を含む無線タグ情報を抽出し、さらにスキャナ２００に接続されたパソコン１００の上記表示部１００Ａに、上記メッセージ受取者情報の（弟三者に知られたくない）メッセージ内容を表示させる。図６はこのようにしてパソコン１００の表示部１００Ａに表示されたメッセージ内容の一例を表す図である。
【００６３】
上記のように構成され使用される付箋１であるが、この付箋１を製造する際には、例えば図７に示す装置が用いられる。
【００６４】
図７において、この付箋製造装置３００は、所定間隔で上記弱粘着材層４が備えられまたこれに対応した位置に無線タグ回路素子Ｔoが備えられたタグテープ３０３を巻回したタグテープロール３０４と、このタグテープロール３０４から繰り出されたタグテープ３０３に備えられる上記表示層３のうち各無線タグ回路素子Ｔoに対応した上記領域Ｓに所定の印字を行う印字ヘッド３０５（印字手段）と、無線タグ回路素子Ｔoとの間で無線通信により情報の送受信を行うアンテナ３０６（装置側アンテナ）と、情報アクセス手段としての高周波回路３０１及び制御回路３０２と、表示層３への印字及び無線タグ回路素子Ｔoへの情報書き込みが終了したタグテープ３０３を所定の長さに切断して上記付箋１とするカッタ３０７（切断手段）とを有する。
【００６５】
高周波回路３０１及び制御回路３０２は、詳細な説明を省略するが、上記スキャナ２００の高周波回路２０１及び制御回路２０２と同等の機能を備えるものであり、無線タグ回路素子ＴoのＩＣ回路部１５０へのアクセス情報を生成し、装置側アンテナ３０６を介して無線タグ回路素子Ｔoへ送信し、無線タグ回路素子ＴoのＩＣ回路部１５０へ情報書き込みを行う。
【００６６】
以上のように構成した本実施形態の付箋１においては、基材２の厚さ方向一方側を手書き（又は印字）可能な表示層３としつつ、厚さ方向他方側を弱粘着材層４で貼り付け対象に再剥離可能にして、所定箇所に手軽に貼り付け可能な構成とする。そしてさらに、基材２に無線タグ回路素子Ｔoを配置することで、無線通信を介して付箋１外部よりＩＣ回路部１５０へ情報を書き込むことができる。これにより、メッセージ送出者は、適宜の書き込み装置でメッセージ部分を無線タグ回路素子ＴoのＩＣ回路部１５０に書き込んだ後、メッセージ受取者の目の届くところに手軽に貼り付けるようにすることで、第三者にメッセージ内容を見られないようにしつつ、メッセージがあること自体を相手（メッセージ受取者）に視認させることができる。この結果、メッセージ内容を相手方（メッセージ受取者）だけにしかも確実に伝達することができる。
【００６７】
また、特にこの実施形態では、付箋１に備えられる弱粘着材層４が、付箋１の面方向端部（上記の例では付箋１の長手方向端部）又はその近傍に設けられていることにより、当該面方向端部又はその近傍を貼り付け対象に貼り付けるとともに、剥がすときにはそれ以外の粘着材のない部分を手で把持することで容易に剥がすことができる。
【００６８】
また、特にこの実施形態では、表示層３が手書き筆記可能な領域Ｓを備えることにより、メッセージ送出者が当該領域Ｓへ手書き筆記を行って例えば予めメッセージの種類や大まかな概要等を相手方に伝えることができる。
【００６９】
また、特にこの実施形態では、無線タグ回路素子Ｔoが、基材２の面方向中心部より一方側に偏って（中心より一方側に寄せて）配置されていることにより、付箋１の表示層３の領域Ｓにメッセージ送出者が適宜の手書き筆記を行う場合（あるいは図７や後述する図１２に示すように付箋作成時において表示層３に印字手段により印字を行う場合）に、当該筆記（又は印字）の邪魔にならないようにして筆記又は印字のかすれや乱れを防止するともに、その筆記・印字時に作用する力で無線タグ回路素子Ｔoの耐久性に悪影響が及ぶのを防止できる。
【００７０】
また、この実施形態では特に、付箋１が、表示層３と基材２との間に設けた強粘着材層５を設けることにより、表示層３と無線タグ回路素子Ｔoを備えた基材２とを強固に接着することができ、また少なくとも弱粘着材層４の貼り付け側を覆う剥離紙６を備えることにより、使用前の状態において弱粘着材層４を剥離紙６で保護することができる。
【００７１】
また、この実施形態では特に、付箋１の無線タグ回路素子ＴoのＩＣ回路部１５０が、書き込み操作者であるメッセージ送出者から読み取り操作者であるメッセージ受取者へのメッセージ情報に加え、当該無線タグ回路素子Ｔoの識別情報（タグＩＤ）を記憶していることにより、メッセージ送出者が操作するスキャナ２００が、ＩＣ回路部１５０に記憶された識別情報に基づき当該無線タグ回路素子Ｔoを特定してアクセスを行い、ＩＣ回路部１５０に記憶したメッセージ情報を取得することができる。また、複数の付箋１があっても目的の付箋１に備えられた無線タグ回路素子Ｔoの識別情報が分かっていればその目的の付箋１とだけ通信することができる。なお、このとき、メッセージ情報はセキュリティー向上のため暗号化してもよい。
【００７２】
さらに、本発明は、上記実施形態に限られず、その趣旨と技術思想の範囲を逸脱しない範囲で更に種々の変形が可能である。以下その変形例を説明する。
【００７３】
（１）アンテナ配置のバリエーション
上記実施形態では、付箋１において、無線タグ回路素子Ｔoは、図１（ａ）及び図１（ｂ）に示すようにＩＣ回路部１５０が付箋１の長手方向中央部に位置しアンテナ１５１が付箋１の長手方向略大部分にわたるように配置されたが、これに限られず、他の構成でも良い。
【００７４】
図８（ａ）は、そのような変形例を表す上面図であり、上記実施形態の図１（ａ）に相当する図である。この図８（ａ）において、この変形例の付箋１−１では、無線タグ回路素子Ｔoのアンテナ１５１が、基材２のうち平面視において弱粘着材層４と重ならない領域Ｓ′に配置されている。
【００７５】
この場合、アンテナ１５１が貼り付け対象に直接接触する（あるいは近接する）ことがなくなるので、貼り付け対象が金属の場合であってもこれに阻害されることなく確実に無線通信を行えるという効果を得る。特に、さらにアンテナ１５１の多くの部分を上記弱粘着材層４と重なる部分から遠ざけて配置するようにすれば、さらに通信の安定性を向上できる。
【００７６】
図８（ｂ）は、アンテナ配置に関する他の変形例を表す上面図であり、上記実施形態の図１（ａ）に相当する図である。図８（ｂ）において、この変形例の付箋１−２では、無線タグ回路素子Ｔoのアンテナ１５１が、基材２のうち平面視において弱粘着材層４と重なる領域Ｓ″に配置されている。
【００７７】
この場合、メッセージ送出者又はメッセージ送出者の指によってアンテナ１５１が触られたりあるいは貼り付け・引き剥がし時に折り曲げられたりして、アンテナ１５１やＩＣ回路部１５０に断線・損傷等が発生したりそれらの接合部が外れたりして耐久性が低下するのを確実に防止できるという効果を得る。。
【００７８】
（２）剥離紙を備えない付箋構造
図９は、本変形例の付箋１′を表す縦断面図であり、上記実施形態の図１（ｂ）に相当する図である。図９に示すように、付箋１′は、図１（ｂ）等に示した付箋１から剥離紙６を省略した構造となっている。この場合も、（特に弱粘着材層４の粘着力が比較的小さいことから）例えば前述の図７に示したような付箋製造装置３００によって製造することができる。
【００７９】
またこのとき、付箋製造装置で情報書き込みは行わず、別途の情報書き込み装置（＝ライタ。図示せず、例えば付箋製造装置３００の高周波回路３０１、制御回路３０２、及びアンテナ３０６と同等のものを備える）によって別途ＩＣ回路部１５０へのメッセージ情報の書き込みを行うようにしても良い。この場合、付箋製造装置としては例えば上記図７に示した構成から高周波回路３０１、制御回路３０２、及びアンテナ３０６を省略した装置によって付箋１′の製造を行うことができる。またこの場合、製造後に例えば図１０に示すような付箋１′の短冊状の重ね合わせ構造体として構成してもよい。この構造体では、例えば上記タグＩＤが番号順に並んでおり、メッセージ送出者は短冊状構造体の一番上にあり、タグIDが最も小さい付箋１′にメッセージ内容を手書きした後、その短冊状構造体全体を上記書き込み装置に近接させ（かざす、上にのせる等）てＩＣ回路部１５０にメッセージ情報を書き込むようにすればよい。このとき、書き込み装置は検出可能なタグIDの中から最も番号が小さいタグIDを有するIC回路部にメッセージ情報を書き込むように設定されている。もちろん、番号順が昇順か降順かにより最も番号が大きいタグIDを有するIC回路部にメッセージを書き込むようにしても良い。本変形例によっても、上記実施形態同様、メッセージ内容を相手方（メッセージ受取者）だけにしかも確実に伝達することができるという効果を得る。
【００８０】
（３）剥離紙を部分的に備える付箋構造
図１１は、本変形例の付箋１″を表す縦断面図であり、上記実施形態の図１（ｂ）に相当する図である。図１１に示すように、付箋１″は、弱粘着材層４と略同等の小型の剥離紙６′とし、さらにこれに対応した大きさの小型の基材２′及び強粘着材層５′としたものである。
【００８１】
図１２（ａ）は、上記付箋１″を製造する付箋製造装置の一例を表す図であり、上記図７に相当する図である。
【００８２】
図１２（ａ）において、この付箋製造装置３００′は、図１２（ｂ）に示す上記強粘着材層５′、基材２′、弱粘着材層４、剥離紙６′の４層構造からなるタグ搭載片ＴＰを、前述のタグテープロール３０４に対応するテープロール３０４′（表記媒体供給手段）から繰り出され上記表示層３を構成する表示層テープ３０３′（表記媒体）へ断続的に供給するタグ片供給器３０８（タグ搭載片供給手段）と、このタグ片供給器３０８の供給方向と表示層テープ３０３′の搬送路を挟んで反対側に設けられる押さえ部材３０９とを有している。そして、タグ片供給器３０８により操作者の指示に基づき適宜のタイミングで供給されたタグ搭載片ＴＰを表示層テープ３０３′に貼り付け、そのタグ搭載片ＴＰが貼り付けられた表記層テープ３０３′に対し印字ヘッド３０５で所定の印字を行った後、カッタ３０７で所定の長さに切断することで付箋１″を完成させるようになっている。
【００８３】
本変形例においては、上記したように操作者の指示操作によって、タグ搭載片ＴＰの表示層テープ３０３′への貼り付けタイミングを自在に設定できるので、異なる長さの付箋１″を高い自由度で製造できる。
【００８４】
なお、上記図７に示した付箋製造装置３００のように、装置側アンテナ３０６や情報アクセス手段としての高周波回路３０１、制御回路３０２を備えるように構成しても良い。
【００８５】
また、上記のように表示層テープ３０３′に対し、強粘着材層５′、基材２′、弱粘着材層４、剥離紙６′の４層構造からなるタグ搭載片ＴＰを自在の位置に貼り付けるのに代え、表示層３、強粘着材層５、基材２（但し予め所定の間隔で無線タグ回路素子Ｔoを配置）の３層構造からなるテープをロールから繰り出しつつ、その自在の位置に、弱粘着材層４及び剥離紙６′の２層構造からなるタグ搭載片ＴＰ′（図示せず）を貼り付けるようにしても良い。
【００８６】
この場合、先に図８（ａ）に示したように弱粘着材層４が平面視において無線タグ回路素子Ｔoのアンテナ１５１を避けるように配置される構成、図８（ｂ）に示したように平面視においてアンテナ１５１を覆うように配置される構成、図１（ａ）（ｂ）に示したように平面視において一部がアンテナ１５１にかかるように配置される構成等、弱粘着材層４の位置を自在に制御できるという効果を得る。
【００８７】
（４）読み取り許可情報等を用いてセキュリティーを向上させる場合
以上のようにしてメッセージ送出者が無線タグ回路素子ＴoのＩＣ回路部１５０にメッセージを書き込み、メッセージ受取者がそのメッセージ内容をスキャナ２００で読んでパソコン１００に表示させることで、メッセージ内容の伝達が完了するが、このときのＩＣ回路部１５０に記憶される情報（データ）のデータ構成としてはいくつか考えられる。
【００８８】
図１３（ａ）〜図１３（ｄ）は、それらのデータ構成例を表す図である。
【００８９】
図１３（ａ）に示す例では、無線タグ回路素子ＴoのＩＣ回路部１５０に記憶されるデータは、前述したタグ識別情報（タグＩＤ）と、上記メッセージ情報と、メッセージ送出者が（メッセージ受取者がメッセージ情報を取得するために）予め設定したパスワード（読み取り許可情報）とから構成されている。このとき、図２において前述した無線タグ回路素子Ｔoの制御部１５７（制御手段）は、スキャナ２００から発信されアンテナ１５１で受信されたＩＣ回路部１５０へのアクセス情報（問い合わせ信号）に含まれるパスワード（読み取り許可照合情報）が上記メッセージ送出者が設定したパスワードと一致するかどうかを判定する判定手段（図示省略）を備え、その判定結果に応じて、対応する所定の返答を行うか所定の返答を行わないかを切替制御する。すなわち、メッセージ受取者の操作に基づきスキャナ２００が無線タグ回路素子ＴoのタグＩＤを指定しかつパスワードを含んだ形で上記問い合わせ信号（読出しコマンド）を無線タグ回路素子Ｔoへ送信し、パスワードが一致したら制御部１５７の制御によってＩＣ回路部１５０に記憶されたメッセージ情報がスキャナ２００へ返信される。パスワードが一致しないときは無視するか、あるいは一致しない旨の返答を行えばよい。
【００９０】
これにより、メッセージを伝達したい相手方（＝メッセージ受取者）がスキャナ２００により所定のパスワードを無線タグ回路素子Ｔoへ送信したときのみ所定の返答を行いメッセージ内容を伝達するので、セキュリティーを向上することができる。
【００９１】
なお、図１３（ｂ）に示すように、上記パスワードに代えて、読み取り許可情報として受信者ＩＤ（メッセージ受取者として受信すべき者又はスキャナのＩＤ）を用いても良い。この場合、無線タグ回路素子Ｔoの制御部１５７（制御手段）は、スキャナ２００から発信されアンテナ１５１で受信されたＩＣ回路部１５０へのアクセス情報（問い合わせ信号）に含まれる読み取り許可照合情報（ＩＤ）が上記ＩＣ回路部１５０に記憶されている受信者ＩＤと一致するかどうかに応じて、対応する所定の返答を行うか所定の返答を行わないかを切替制御する。すなわち、メッセージ受取者の操作に基づきスキャナ２００が無線タグ回路素子ＴoのタグＩＤを指定しかつ上記受信者ＩＤを含んだ形で上記問い合わせ信号（読出しコマンド）を無線タグ回路素子Ｔoへ送信し、受信者ＩＤが一致したら制御部１５７の制御によってＩＣ回路部１５０に記憶されたメッセージ情報がスキャナ２００へ返信される。受信者ＩＤが一致しないときは無視するか、あるいは一致しない旨の返答を行えばよい。
【００９２】
この場合も、上記同様、メッセージを伝達したい相手方として予め指定されたメッセージ受取者がスキャナ２００から無線タグ回路素子Ｔoへ送信したときのみ所定の返答を行いメッセージ内容を伝達するので、セキュリティーを向上することができる。
【００９３】
図１３（ｃ）に示す例では、無線タグ回路素子ＴoのＩＣ回路部１５０に記憶されるデータは、前述したタグ識別情報（タグＩＤ）と、公知の暗号化手段により公開鍵を用いて暗号化された上記メッセージ情報と、メッセージ送出者の送信者ＩＤとから構成されている。
【００９４】
メッセージ受取者は、スキャナ２００により上記暗号化されたメッセージ情報及び送信者ＩＤを取得した後、送信者ＩＤより暗号を解読するための秘密鍵を検索し（予め送信者と秘密鍵との対応関係がリスト化されてスキャナ２００又はパソコン１００の適宜の手段に記憶されている）、当該秘密鍵を取得してこれによって上記暗号化されたメッセージを複号化し、複号化されたメッセージを得る。なお、無線タグ回路素子ＴoのＩＣ回路部１５０が上記送信者ＩＤに代えて公開鍵を記憶しており、メッセージ受取者がその公開鍵より暗号を解読するための秘密鍵を検索し（この場合は予め公開鍵と秘密鍵との対応関係がリスト化されてスキャナ２００又はパソコン１００の適宜の手段に記憶されている）、当該秘密鍵を取得するようにしてもよい。
【００９５】
この変形例の場合は、暗号化によってメッセージの伝達を行うので、さらにセキュリティーを向上することができる。
【００９６】
図１３（ｄ）に示す例では、無線タグ回路素子ＴoのＩＣ回路部１５０に記憶されるデータは、前述したタグ識別情報（タグＩＤ）と、上記メッセージ情報と、メッセージ送出者が書き込んだ当該メッセージに関する（読み取り許可情報としての）有効期限情報（例えばメッセージ送出者が書き込んだ時から所定時点。メッセージ送出者自身が設定できるようにしても良いし、自動的に定まるようにしてもよい）とから構成されている。このとき、図２において前述した無線タグ回路素子Ｔoの制御部１５７（制御手段）は、スキャナ２００から発信されアンテナ１５１で受信されたＩＣ回路部１５０へのアクセス情報（問い合わせ信号）が受信されたその時刻（読み取り許可照合情報）が、上記有効期限の期限内かどうかに応じて、対応する所定の返答を行うか所定の返答を行わないかを切替制御する。すなわち、メッセージ受取者の操作に基づきスキャナ２００が無線タグ回路素子ＴoのタグＩＤを指定し上記問い合わせ信号（読出しコマンド）を無線タグ回路素子Ｔoへ送信し、期限内であったら制御部１５７の制御によってＩＣ回路部１５０に記憶されたメッセージ情報がスキャナ２００へ返信される。期限外であったら（期限が過ぎていたら）無視するか、あるいは一致しない旨の返答を行えばよい。
【００９７】
これにより、メッセージを伝達したい相手方（＝メッセージ受取者）が有効期限内にスキャナ２００により無線タグ回路素子Ｔoへのアクセスを行ったときのみ所定の返答を行いメッセージ内容を伝達するので、比較的簡易な方法でセキュリティーを向上することができる。
【００９８】
なお、上述した実施形態、（１）〜（４）の変形例における手法を適宜組み合わせてもよい。これらの場合も、それら組み合わせた実施形態又は変形例の効果を併せた効果を得ることができ、上記同様、メッセージ内容を相手方（メッセージ受取者）だけにしかも確実に伝達することができるという本発明本来の効果を得ることができる。
【００９９】
その他、一々例示はしないが、本発明は、その趣旨を逸脱しない範囲内において、種々の変更が加えられて実施されるものである。
【図面の簡単な説明】
【０１００】
【図１】本発明の一実施形態の通信機能付き付箋の全体概略構造を表す上面図、及び図１（ａ）中Ｉ−Ｉ断面による縦断面図である。
【図２】付箋に備えられた無線タグ回路素子Ｔoの機能的構成の一例を表すブロック図である。
【図３】パソコン、スキャナ、付箋を含む無線タグ情報通信システム全体を表すシステム構成図である。
【図４】高周波回路の詳細機能構成を表す機能ブロック図である。
【図５】制御回路の詳細機能を表す機能ブロック図である。
【図６】パソコンの表示部に表示されたメッセージ内容の一例を表す図である。
【図７】付箋製造装置の構成の一例を表す概念図である。
【図８】アンテナ配置に関する変形例を表す上面図である。
【図９】剥離紙を備えない変形例の付箋を表す縦断面図である。
【図１０】付箋を短冊状の構造体とした場合を表す図である。
【図１１】剥離紙を部分的に備える変形例の付箋を表す縦断面図である。
【図１２】付箋を製造する付箋製造装置の他の例を表す図、及びタグ搭載片の縦断面図である。
【図１３】ＩＣ回路部に記憶される情報のデータ構成例を表す図である。
【符号の説明】
【０１０１】
１                付箋
１′              付箋
１″              付箋
２                基材（タグ基材）
３                表示層（表記媒体）
４                弱粘着材層
５                強粘着材層
５′              強粘着材層
６                剥離紙（剥離材層）
６′              剥離紙（剥離材層）
１５０            ＩＣ回路部
１５１            アンテナ
１５７            制御部（制御手段）
２００            スキャナ（質問器）
３００            付箋製造装置
３００′          付箋製造装置
３０１            高周波回路（情報アクセス手段）
３０２            制御回路（情報アクセス手段）
３０５            印字ヘッド（印字手段）
３０６            アンテナ（装置側アンテナ）
３０７            カッタ（切断手段）
３０８            タグ片供給器（タグ搭載片供給手段）
Ｓ                領域（手書き筆記可能な領域）
Ｔo               無線タグ回路素子
【図１】
2006231610.tif 000003
【図２】
2006231610.tif 000004
【図３】
2006231610.tif 000005
【図４】
2006231610.tif 000006
【図５】
2006231610.tif 000007
【図６】
2006231610.tif 000008
【図７】
2006231610.tif 000009
【図８】
2006231610.tif 000010
【図９】
2006231610.tif 000011
【図１０】
2006231610.tif 000012
【図１１】
2006231610.tif 000013
【図１２】
2006231610.tif 000014
【図１３】
2006231610.tif 000015